(57)【要約】【課題】    本発明の課題は以下のことであり、その効果は量産性が優れ、かつ、リサイクルが容易であるプラスチック製のスプリングおよびそのスプリングを使用した製品を提供することにある。（１）一体成形が可能である形状であること（２）バネ性が十分にあること（３）壊れにくい構造であること【解決手段】  結合部１の一方に固定片２を有すると共に、他方に一対の可動片３を有することを特徴としたプラスチック製スプリング。【選択図】    図１
2005282845.tif 000002
【特許請求の範囲】
【請求項１】
結合部の一方に固定片を有すると共に、他方に一対の可動片を有することを特徴としたプラスチック製スプリング。
【請求項２】
請求項１において、前記一対の可動片の先外内側にスライドを容易にさせるための平坦部からなることを特徴としたプラスチック製スプリング。
【請求項３】
次の構成からなることを特徴としたプラスチック製スプリングを有するピンセット。
（１）結合部の一方に固定片を有すると共に、他方に一対の可動片を有するプラスチック製スプリング
（２）先端内側に把持を容易にするための把持部が設けられた一対の長片
（３）前記一対の長片の終端部分を連結するための連結部
（４）前記一対の長辺の内方に、かつ、一対の長片の連結部の近い位置に、前記プラスチック製スプリングを配置すると共に、前記プラスチック製スプリングの固定片を前記一対の長辺に固定する。
【請求項４】
次の構成からなることを特徴としたプラスチック製スプリングを有するクリップはずし具。
（１）結合部の一方に固定片を有すると共に、他方に一対の可動片を有するプラスチック製スプリング
（２）各長片の先端に内側に折り曲げられたフック部が設けられると共に、終端部分で連結された一対の長片
（３）前記一対の長辺の内方に、かつ、一対の長片の連結部の近い位置に、前記プラスチック製スプリングを配置すると共に、前記プラスチック製スプリングの固定片を前記長辺に固定する。
【請求項５】
次の構成からなることを特徴としたプラスチック製スプリングを有するピンはずし具。
（１）結合部の一方に固定片を有すると共に、他方に一対の可動片を有するプラスチック製スプリング
（２）一方の長片の先端に設けられた薄板状のテーパー部と、他方の長片の先端内側に設けられたフック部を有すると共に、前記長片の終端部分が連結された一対の長片
（３）前記一対の長辺の内方に、かつ、一対の長片の連結部の近い位置に、前記プラスチック製スプリングを配置すると共に、前記プラスチック製スプリングの固定片を前記長辺に固定する。
【発明の詳細な説明】
【発明の詳細な説明】
【技術分野】
【０００１】本発明は、プラスチック製のスプリングであって、プラスチックの利点である一体成形ができ、かつ、その弾性を利用した量産性の優れたスプリングおよびそのスプリングを使用した製品に関するものである。
【背景技術】
【０００２】従来のこの種のスプリングやクリップには、簡単な構成のものでは「ハエたたき」のひとつの組品として「ハエつまみクリップ」があった。この構造はきわめて簡単なもので、本発明のようにスプリングを使うことなく、単にＵ字状の長片でのバネ性だけでクリップを構成したものであり、すぐに弾性を失うような代物であった。バネを使った本発明に関連する従来例としては、以下のようなものがあった。
（１）特開２００３−０８８４０６
図７に示すように、先端部に挟持部Ｂを形成し、後端部に押圧する操作部を形成する一対の長片５（合成樹脂製のクリップ片）を有し、この一対の長片５間に配置された略Ｕ字形のバネ部材から成る合成樹脂製のクリップである。バネ部材は、一対の長片５の少なくとも一方の長片５の裏面側に形成した挿し込み孔に対し、前記バネ部材の湾曲部が後端側に向くように、このバネ部材の挿し込み部が挿し込み係止されている。
この場合だと、バネ部が別体であり生産効率が非常に悪くなるという欠点もあった。また、簡単なＵ字状のバネ形状であることから、プラスチック製で構成するとすぐに弾力性が失われるし、金属製だと廃棄時に分別作業が必要となる等、リサイクルへの妨げになる欠点があった。
（２）特開平１０−３２４０８４
図８に示すように、バネ性のある固定片２に相当する鈎形に屈曲した形状の係止脚部を、長片５の内面に形成した係止穴に挿入し、該係止穴の縁部に立設した支持突起との組合せで、長片５の先端の把持部８に咬持力が作用するように構成されている。
この場合だと、バネ部と長片５は一体であり、かつ、プラスチックでの一体成形は可能であるが、組み立て工程が必要となること、および、単に係合による結合でありすぐに壊れる構造であった。
【発明が解決しようとする課題】
【０００３】本発明は、上記問題を解決するためのもので、その課題は以下のことであり、その効果は量産性が優れ、かつ、リサイクルが容易であるプラスチック製のスプリングおよびそのスプリングを使用した製品を提供することにある。
（１）一体成形が可能である形状であること
（２）バネ性が十分にあること
（３）壊れにくい構造であること
【課題を解決するための手段】
【０００４】本発明は、上記課題を解決するためのもので、以下の特徴を有する。
請求項１においては、結合部の一方に固定片を有すると共に、他方に一対の可動片を有することを特徴としたプラスチック製スプリング。
請求項２においては、請求項１に加えて、前記一対の可動片の先外内側にスライドを容易にさせるための平坦部からなることを特徴としたプラスチック製スプリング。
請求項３においては、次の構成からなることを特徴としたプラスチック製スプリングを有するピンセット。
（１）結合部の一方に固定片を有すると共に、他方に一対の可動片を有するプラスチック製スプリング
（２）先端内側に把持を容易にするための把持部が設けられた一対の長片
（３）前記一対の長片の終端部分を連結するための連結部
（４）前記一対の長辺の内方に、かつ、一対の長片の連結部の近い位置に、前記プラスチック製スプリングを配置すると共に、前記プラスチック製スプリングの固定片を前記一対の長辺に固定する。
請求項４においては、次の構成からなることを特徴としたプラスチック製スプリングを有するクリップはずし具。
（１）結合部の一方に固定片を有すると共に、他方に一対の可動片を有するプラスチック製スプリング
（２）各長片の先端に内側に折り曲げられたフック部が設けられると共に、終端部分で連結された一対の長片
（３）前記一対の長辺の内方に、かつ、一対の長片の連結部の近い位置に、前記プラスチック製スプリングを配置すると共に、前記プラスチック製スプリングの固定片を前記長辺に固定する。
請求項５においては、次の構成からなることを特徴としたプラスチック製スプリングを有するピンはずし具。
（１）結合部の一方に固定片を有すると共に、他方に一対の可動片を有するプラスチック製スプリング
（２）一方の長片の先端に設けられた薄板状のテーパー部と、他方の長片の先端内側に設けられたフック部を有すると共に、前記長片の終端部分が連結された一対の長片
（３）前記一対の長辺の内方に、かつ、一対の長片の連結部の近い位置に、前記プラスチック製スプリングを配置すると共に、前記プラスチック製スプリングの固定片を前記長辺に固定する。
【発明の効果】
【００１１】本発明は、上述のように、一体成形可能な構造で、かつ、バネ性の優れたスプリングであり、量産性に優れているのは当然として、プラスチックの一体成形が可能な構造なのでリサイクルにも適している利点がある。さらに、長片と接するスプリングの先端が平坦な形状で、かつ、長片５とは結合せずに自由にスライドするので、バネ性を増強するとともに使用感が非常に良いという優れたプラスチック製スプリングおよびその製品を提供するものである。
【発明を実施するための最良の形態】
【実施例】
【０００５】以下に、実施例を掲げて本発明を具体的に説明するが、この発明の範囲はこれらの例示に限定されるものではない。
以下実施例に基いて詳細に説明をする。【０００６】図１は、本発明のスプリングを示すもので、結合部１を中心に一対の固定片２と、その反対側に一対の可動片３を有する。スプリング全体のバネ性を良くする場合は、リング状の結合部１が適当である。固定片２は製品を構成する部材に固定するためのもので、結合部１に結合された反対側が、製品を構成する部材に固定される。可動片３の先端には平坦部４が形成され、かつ、この平坦部４は製品を構成する部材には固定されない。したがって、たとえばピンセット等の製品に使用されるときは、ピンセットで物を挟持しようとする場合、この平坦部４がピンセットを構成する長片の内側をスライドすることで、微妙な力で挟持することが可能になる。また、スライドすることで、無理な応力がスプリングや長片に加わらないので製品の変形等は生じにくい。【０００７】図２は、本発明の他のスプリングの実施例を示すもので、結合部１を四角型のリング形状にしたもので、図１と同様に、結合部１を中心に固定片２と、その反対側に一対の可動片３を有する。固定片２はひとつであるが、円形のリング形状に比較して性能そのものには変わりが無い。ただし、ねじれに対しては円形のリング形状に比較して弱い可能性はある。しかし、これは程度問題であり、利用する製品の機能により取捨選択すれば良い。【０００８】図３は、本発明のスプリングを使用したピンセットの実施例を示すものである。
結合部１を中心に一対の固定片２と、その反対側に一対の可動片３を有するスプリングと、そのスプリングを内方に設けたピンセットである。
ピンセット本体は、長片５とその終端を連結する連結部６からなる。本図においては、しっかりした製品にするために、連結部６の近辺にリブ７を設けている。このリブ７は、本発明の必須要件ではないが、製品化の際には有効な構造である。
スプリングの固定片２は長片５の内側に固定され、他方の可動片３は長片５から分離されている。この可動片３が長片５から分離されているところに本発明のひとつの特徴がある。【０００９】図４は、上記の可動片３が長片５から分離されている利点を説明するための図で、物を挟持するために長片５が絞り込まれると可動片３の平坦部４が長片５に接しながらスライドする。このスライドにより、長片５の挟持動作がスムースに行われるのと、程よくバネ性が効いて非常に使いやすいピンセットになる。
８は、物を掴み取るための把持部であって、平坦になっている。挟持する対象物によっては、平坦部４の表面に細かいギザを設けてすべり止めにしても良い。
このピンセットは、特に毛髪取り具に使用して好適なもので、細い毛髪を掴み取る場合の微妙な操作に適している。【００１０】図５は、いわゆる「ガチャポン」などの金属製クリップの取りはずし具の例を示すもので、長片５の先端部を除いては、前述の構造と同等である。「ガチャポン」の場合は、その挟持力が強く手ではずすのは結構難しかった。本発明では、長片５の先端をフック部９で構成し、このフックで「ガチャポン」を挟持して引っ張ることで、紙を挟持している「ガチャポン」をはずすものである。
図６は、いわゆる「ホチキス」のピンはずし具の例を示すもので、長片５の先端部を除いては、前述の構造と同等である。「ホチキス」のピンは、指で取ると怪我をする場合もある。そこで、本発明は、一方の長片５の先端をフック部９で構成し、他方を薄板状のテーパー部１０として、まずテーパー部１０を「ホチキス」のピンと綴じられた紙の間に挿入してピンを浮かすと共に、フック部９でピンを引っかけるような形でテーパー部１０とフック部９でピンを挟持して引き抜くようにするものである。適度なバネ性を有する構造なので、その操作性は良く、かつ、すべての部材が一体成形されるので製品全体の弾力性が非常に良くなる。
さらに、一体成形品なので製品の変形もしにくい利点がある。
【図面の簡単な説明】
【図１】本発明のプラスチック製スプリングの実施例を示す平面図である。
【図２】本発明の他のプラスチック製スプリングの実施例を示す平面図である。
【図３】プラスチック製スプリングを用いた本発明の製品例を示す平面図である。
【図４】図３の動作状態を示す平面図である。
【図５】プラスチック製スプリングを用いた本発明の他の製品例を示す平面図である。
【図６】プラスチック製スプリングを用いた本発明の他の製品例を示す平面図である。
【図７】従来例を示す断面図である。
【図８】他の従来例を示す断面図である。
【符号の説明】
１    結合部
２    固定片
３    可動片
４    平坦部
５    長片
６    連結部
７    リブ
８    把持部
９    フック部
１０  テーパー部
【図１】
2005282845.tif 000003
【図２】
2005282845.tif 000004
【図３】
2005282845.tif 000005
【図４】
2005282845.tif 000006
【図５】
2005282845.tif 000007
【図６】
2005282845.tif 000008
【図７】
2005282845.tif 000009
【図８】
2005282845.tif 000010